(57)【要約】【課題】  イメージパネルと３次元イメージ形成装置を整列するための３次元映像表示装置の製造方法及び製造装置を提供する。【解決手段】 レンチキュラレンズまたはパララックスバリアなどからなる３次元イメージ形成装置の一側面に接着剤を塗布し、イメージパネルと３次元イメージ形成装置を接合する。接合したパネル上に配置されたカメラによって接合したパネルの３次元映像を観察しながら、イメージパネルと３次元イメージ形成装置を整列する。この時、カメラが撮影したパネル映像で黒帯がパネルの中央に現れれば、整列が正常であるものと判断する。次に、接着剤を硬化して、イメージパネルと３次元イメージ形成装置を固定する。【選択図】      図４
2006079097.tif 000002
【特許請求の範囲】
【請求項１】
イメージパネルと３次元イメージ形成装置のうちの少なくともいずれか１つの一面に接着剤を塗布する段階と、
前記イメージパネルと前記３次元イメージ形成装置を接合する段階と、
前記接合したパネルで３次元映像を表示するための条件で表示される映像を観察しながら、前記イメージパネルと前記３次元イメージ形成装置を整列する段階と、
前記接着剤を硬化して前記イメージパネルと前記３次元イメージ形成装置を固定する段階と、
を含み、前記イメージパネルと前記３次元イメージ形成装置を整列する段階は、左眼用イメージ窓と右眼用イメージ窓の間に形成される黒帯を所定の位置に位置するように調整し、イメージパネルと３次元イメージ形成装置を整列する３次元映像表示装置の製造方法。
【請求項２】
前記イメージパネルは液晶表示パネルであり、前記３次元イメージ形成装置はレンチキュラレンズアレイパネルである請求項１に記載の３次元映像表示装置の製造方法。
【請求項３】
前記３次元イメージ形成装置は、半円筒型レンズ複数個が連続して形成されているレンチキュラレンズアレイとポリマー層を有する請求項２に記載の３次元映像表示装置の製造方法。
【請求項４】
前記黒色帯の位置がパネルの左右中央に位置するように、前記イメージパネルと前記３次元イメージ形成装置を整列する請求項１に記載の３次元映像表示装置の製造方法。
【請求項５】
接合した前記イメージパネルと前記３次元イメージ形成装置によって形成された左眼用映像と右眼用映像に互いに異なるイメージを表示して、前記イメージパネルと前記３次元イメージ形成装置を整列する請求項４に記載の３次元映像表示装置の製造方法。
【請求項６】
前記左眼用映像と前記右眼用映像をそれぞれホワイト映像とブラック映像で表示し、前記イメージパネルと前記３次元イメージ形成装置を整列する請求項５に記載の３次元映像表示装置の製造方法。
【請求項７】
前記黒帯の位置を利用した第１次整列と、前記ホワイト映像とブラック映像の位置を利用した第２次整列を順次に行う請求項６に記載の３次元映像表示装置の製造方法。
【請求項８】
前記接着剤は光硬化性物質からなり、光を照射することによって前記接着剤を硬化させる請求項１に記載の３次元映像表示装置の製造方法。
【請求項９】
前記光は紫外線である請求項８に記載の３次元映像表示装置の製造方法。
【請求項１０】
前記光硬化性物質は熱硬化性樹脂である請求項８に記載の３次元映像表示装置の製造方法。
【請求項１１】
前記光硬化性物質は、アクリル（acrylic）、アクリル酸塩（acrylate）、メタクリル酸塩（methacrylate）、エポキシ（epoxy）、アクリル酸塩で改質されたエポキシ（acrylate  modified  epoxies）、またはこれらの組み合わせからなる群より選択される請求項８に記載の３次元映像表示装置の製造方法。
【請求項１２】
前記接着剤は感圧接着剤である請求項１に記載の３次元映像表示装置の製造方法。
【請求項１３】
前記３次元イメージ形成装置上にスイッチングパネルを接着する段階をさらに含む請求項１に記載の３次元映像表示装置の製造方法。
【請求項１４】
本体と、
前記本体に配設されているイメージパネル搭載部と、
前記イメージパネル搭載部の位置を調整する微細調整器と、
前記本体に配設され、３次元イメージ形成装置を搭載する３次元イメージ形成装置搭載部と、
前記３次元イメージ形成装置搭載部の位置を調整する位置調整器と、
前記本体に配設され、イメージパネルと３次元イメージ形成装置の整列状態を観察するためのカメラと、
を備える３次元映像表示装置の製造装置。
【請求項１５】
前記本体に配設され、前記３次元イメージ形成装置の接着面に接着剤を塗布する接着剤塗布機をさらに備える請求項１４に記載の３次元映像表示装置の製造装置。
【請求項１６】
前記イメージパネルと前記３次元イメージ形成装置を結合する接着剤を硬化するために紫外線を照射する紫外線照射器をさらに備える請求項１４に記載の３次元映像表示装置の製造装置。
【請求項１７】
前記微細調整器は、Ｘ軸方向微細調整器、Ｙ軸方向微細調整器及び回転微細調整器を有する請求項１４に記載の３次元映像表示装置の製造装置。
【請求項１８】
前記３次元イメージ形成装置搭載部の回転移動を制御する回転駆動部をさらに備える請求項１４に記載の３次元映像表示装置の製造装置。
【請求項１９】
前記カメラの位置を制御するカメラ位置制御部をさらに備える請求項１４に記載の３次元映像表示装置の製造装置。
【請求項２０】
前記接着剤塗布機の位置を制御する塗布機位置制御機をさらに備える請求項１４に記載の３次元映像表示装置の製造装置。
【請求項２１】
前記カメラが撮影した映像を表示するモニターをさらに備える請求項１４に記載の３次元映像表示装置の製造装置。
【請求項２２】
イメージパネル及び３次元イメージ形成装置の接合パネルで左眼用イメージと右眼用イメージを表示する段階と、
前記接合パネルで表示される映像の黒帯を用いて前記イメージパネルと３次元イメージ形成装置を整列する段階と、
を含む３次元映像表示装置の製造方法。
【請求項２３】
前記イメージパネルと３次元イメージ形成装置を整列する工程後に、前記イメージパネルと前記３次元イメージ形成装置を結合して固定する段階をさらに含む請求項２２に記載の３次元イメージパネルの製造方法。
【発明の詳細な説明】
【技術分野】
【０００１】
本発明は、３次元映像表示装置の製造方法及び製造装置に関する。
【背景技術】
【０００２】
近年、超高速情報通信網による情報高速化のためのサービスは、現在の電話のように単に話のやりとりを行うサービスから文字、音声、映像を高速処理するデジタル端末を中心に映像及び音声を提供するマルチメディアサービスに発展している。今後、このようなサービスは窮極的に時空間を越えた現実感及び立体感を楽しめる超空間型実感３次元立体情報通信サービスに発展するものと期待される。
【０００３】
一般に、３次元を表現する立体映像は、左右の目によるステレオ視覚の原理に基づいて実現される。両眼視差（つまり、２つの目が約６５ｍｍ程度離れて位置するため生ずる左右の目の視差）は、立体感を感じる最も重要な要因と言える。即ち、左右の目はそれぞれ互いに異なる２次元画像を見ており、この２つの画像が網膜を経て脳に伝達されると、脳はそれを正確に相互に融合し、本来の３次元映像の深さ感及び現実感を再生する。このような能力を通常ステレオグラフィ（stereography）という。
【０００４】
３次元映像表示装置で両眼視差を利用する方式には、観察する際に別途の眼鏡を利用するか否かによってステレオスコーピック（stereoscopic）の偏光方式と時分割方式、オートステレオスコーピック（autostereoscopic）のパララックスバリア（Parallax barrier）方式、レンチキュラ（lenticular）方式などがある。
前者は、多くの人が立体映像を鑑賞できるが、別途の偏光眼鏡または液晶シャッター眼鏡を着用する必要があるという短所がある。これに対し、後者は、ディスプレイにそれぞれイメージスプリッタ（image splitter）、シリンドリカルレンズアレイ（cylindrical lens array）であるレンチキュラレンズ、またはパララックスバリアが結合された構造を有し、観察範囲が固定された少人数に限定されるものの、別途の眼鏡を着用する必要がないというメリットがある。即ち、ステレオスコーピック方式立体映像表示装置は、観察者が特殊な眼鏡を着用する必要があって不便でかつ不自然であるのに対し、オートステレオスコーピック方式立体映像表示装置は、観察者が直接スクリーンを眺めることによって立体映像を鑑賞することができ、ステレオスコーピック方式立体映像装置のような短所がないため研究が盛んに行われている。
【０００５】
オートステレオスコーピック方式立体映像表示装置は、イメージパネルに３次元イメージ形成装置を整列して立体映像を表示する。３次元イメージ形成装置には、代表的に、レンチキュラレンズやパララックスバリアなどがある。場合によって、３次元イメージ形成装置は、３次元イメージを形成すると同時に、２次元イメージも表示できるよう切り換え手段を結合したり、加えることができる。例えば、屈折率異方性を有するレンチキュラレンズにスイッチングパネルを付加したもの（たとえば、特許文献１参照）や、スイッチングパネル及び位相遅延板（retarder）（たとえば、特許文献２、特許文献３、特許文献４参照）、またはスリットが形成された偏光板とスイッチングパネル（たとえば、特許文献５、特許文献６参照）が結合し、イメージを２次元または３次元に切り換えることができる３次元イメージ形成装置とすることができる。
【０００６】
３次元イメージを表示するための基本的な構成は、イメージを形成するパネルと、イメージを左眼用イメージ及び右眼用イメージに分離する３次元イメージ形成装置が結合される。例えば、２つの画素が存在する場合、１つの画素は右眼用イメージとして、もう１つは左眼用イメージとして分離して設計することによって、３次元イメージを形成することができるので、イメージパネルと３次元イメージ形成装置の整列は重要な問題となる。
【特許文献１】国際公開第０３／０１５４２４−Ａ２号パンフレット
【特許文献２】米国特許第６０４６８４９号明細書
【特許文献３】米国特許第６０５５１０３号明細書
【特許文献４】米国特許第６４３７９１５号明細書
【特許文献５】米国特許第４７１７９４９号明細書
【特許文献６】米国特許第６１５７４２４号明細書
【発明の開示】
【発明が解決しようとする課題】
【０００７】
本発明の目的は、このようなイメージパネルと３次元イメージ形成装置を整列するための３次元映像表示装置の製造方法及び製造装置を提供することである。
【課題を解決するための手段】
【０００８】
本発明による３次元映像表示装置製造方法は、左眼用イメージ窓（window）と右眼用イメージ窓（window）の間に形成される黒帯を用いて、イメージパネルと３次元イメージ形成装置を整列する段階を含む。
本発明による３次元映像表示装置製造方法の一実施形態において、３次元映像表示装置の製造方法は、イメージパネルと３次元イメージ形成装置のうちの少なくともいずれか１つの一面に接着剤を塗布する段階、前記イメージパネルと前記３次元イメージ形成装置を接合する段階、前記接合したパネルで３次元映像を表示するための条件で表示される映像を観察しながら、前記イメージパネルと前記３次元イメージ形成装置を整列する段階、前記接着剤を硬化して前記イメージパネルと前記３次元イメージ形成装置を固定する段階を含み、前記イメージパネルと前記３次元イメージ形成装置を整列する段階は、左眼用イメージ窓（window）と右眼用イメージ窓（window）の間に形成される黒帯を用いて、イメージパネルと３次元イメージ形成装置を整列する段階を含む。
【０００９】
前記イメージパネルは液晶表示パネルであり、前記３次元イメージ形成装置はレンチキュラレンズアレイパネルを用いることができる。
前記３次元イメージ形成装置は、半円筒型レンズ複数個が連続して形成されているレンチキュラレンズアレイとポリマー層を有することができる。
前記黒帯の位置がパネルの左右中央に位置するように前記イメージパネルと前記３次元イメージ形成装置を整列することができる。
【００１０】
接合した前記イメージパネルと前記３次元イメージ形成装置によって、形成された左眼用映像と右眼用映像で互いに異なるイメージを表示し、前記イメージパネルと前記３次元イメージ形成装置を整列することができる。
前記左眼用映像と前記右眼用映像を、それぞれホワイト映像とブラック映像で表示し、前記イメージパネルと前記３次元イメージ形成装置を整列することができる。
【００１１】
前記黒帯の位置を利用した１次整列と、前記ホワイト映像とブラック映像の位置を利用した２次整列を順次に進行することができる。
前記接着剤は光硬化性物質からなり、前記接着剤の硬化は、光を照射することによって行われる。
前記３次元イメージ形成装置上にスイッチングパネルを接着する段階をさらに含む３次元映像表示装置の製造方法である。
【００１２】
本発明の一実施形態による３次元映像表示装置製造装置は、本体と、前記本体に配設されているイメージパネル搭載部と、前記イメージパネル搭載部の位置を調整する微細調整器と、前記本体に配設され３次元イメージ形成装置を搭載する３次元イメージ形成装置搭載部と、前記３次元イメージ形成装置搭載部の位置を調整する位置調整器と、前記本体に配設されイメージパネルと３次元イメージ形成装置の整列状態を観察するためのカメラとを備える構成とすることができる。
【００１３】
前記本体に配設され前記３次元イメージ形成装置の接着面に接着剤を塗布する接着剤塗布機をさらに備える構成とすることができる。
前記イメージパネルと前記３次元イメージ形成装置を結合する接着剤を硬化するために紫外線を照射する紫外線照射機をさらに備える構成とすることができる。
前記微細調整器は、Ｘ軸方向微細調整器、Ｙ軸方向微細調整器及び回転微細調整器を有する構成とすることができる。
【００１４】
前記３次元イメージ形成装置搭載部の回転移動を制御する回転駆動部をさらに備える構成とすることができる。
前記カメラの位置を制御するカメラ位置制御部をさらに備える構成とすることができる。
前記接着剤塗布機の位置を制御する塗布機位置制御機を備える構成とすることができる。
【００１５】
前記カメラが撮影した映像を表示するモニターを備える構成とすることができる。
【発明の効果】
【００１６】
本発明によれば、イメージパネルと３次元イメージ形成装置を効率的に整列し、３次元映像表示装置を製造することができる。
【発明を実施するための最良の形態】
【００１７】
以下、添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
図面は、各種層及び領域を明確に表現するために、厚さを拡大して示している。明細書全体を通じて類似した部分については同一の参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００１８】
次に、本発明の実施形態による３次元映像表示装置の製造方法及び製造装置について図面を参照して詳細に説明する。
図１Ａ〜図１Ｃは、本発明の一実施形態による３次元映像表示装置の製造方法を用いて製造された３次元映像表示装置の断面図である。図１Ａに示すように、本発明の一実施形態によって製造された３次元映像表示装置は、イメージパネルである液晶表示パネル１０、３次元イメージ形成装置であるレンズパネル４００、スイッチングパネル６００及び上下偏光板２２、１２を備える。液晶表示パネル１０とレンズパネル４００は、接着剤５１０によって結合され、レンズパネル４００とスイッチングパネル６００も接着剤５２０によって結合される。上下偏光板２２、１２は、それぞれスイッチングパネル６００の上と液晶表示パネル１０の下に配置されている。
【００１９】
液晶表示パネル１０は、薄膜トランジスタ表示板１００、カラーフィルタ表示板２００及び液晶層３００を備える。
薄膜トランジスタ表示板１００は、ゲート線（図示せず）及びデータ線（図示せず）などの信号線を備え、ゲート線とデータ線が交差して定義する画素領域毎に薄膜トランジスタ（図示せず）及び画素電極（図示せず）が形成されている。ここで薄膜トランジスタは、ゲート線に沿って転送される走査信号によって、データ線に沿って転送される画像信号をスイッチングして、画素電極への画像信号の印加または遮断を行う。
【００２０】
ここで、液晶表示パネルは、画素電極の形態によって透過型液晶表示パネル、反射型液晶表示パネル及び両者の形態が可能な半透過型液晶表示パネルに区分され、いかなる方式の液晶表示パネルも本発明の実施形態によるイメージパネルに適用することができる。本実施形態では、透過型を中心に説明する。
カラーフィルタ表示板２００は、薄膜トランジスタ表示板１００と所定の間隔を置いて対向している。カラーフィルタ表示板２００にはカラーフィルタ２５０が形成され、図示していないが、ブラックマトリックス及び共通電極などが形成されている。
【００２１】
薄膜トランジスタ表示板１００とカラーフィルタ表示板２００の間には液晶物質が注入され液晶層３００をなす。
３次元イメージ形成装置であるレンズパネル４００は、液晶表示パネル１０から出る光を屈折させて両目に分配して３次元イメージを形成する役割を果たす。
レンズパネル４００は、行方向に長く形成されている半円筒型レンチキュラレンズ複数個が連続して配列されているレンチキュラレンズアレイ４１０と、その上部に形成されるポリマー４２０、及びレンチキュラレンズアレイ４１０とポリマー４２０がそれぞれ取り付けられるレンズパネル下部基板４３０とレンズパネル上部基板４４０を備える。
【００２２】
ここで、レンチキュラーレンズアレイ４１０は、屈折率異方性を有する物質からなっており、レンズの軸方向に電場が振動する光はレンズアレイ４１０とポリマー４２０の屈折率が同一なものとして感じその境界で屈折せず、レンズの軸と垂直方向に電場が振動する光はレンズアレイ４１０とポリマー４２０の屈折率を異なるものとして感じその境界で屈折する。このような特性により、２次元映像と３次元映像を選択的に表示することができる。
【００２３】
この時、液晶表示パネル１０の２つの画素列が一対をなし、レンズパネル４００の１つのレンズと重畳するように整列されている。
スイッチングパネル６００は、２次元映像と３次元映像のどれを表示するかを選択する役割を果たす。
スイッチングパネル６００は、上下部基板６１０、６２０と上下部基板６１０、６２０それぞれに形成されている上下電極６１１、６２１及びその間に注入されている液晶層６３０からなる。
【００２４】
図示された構成及びその作動方法は、特許文献１（ＷＯ０３/０１５４２４-Ａ２）を参照することで理解できる。
本発明の実施形態による製造方法によって製造された他の構造の３次元映像表示装置について説明する。
図１Ｂに示すように、イメージパネルと３次元イメージ形成装置が結合している。イメージパネルと３次元イメージ形成装置は、光源を基準にその位置を互いに入れ替えることも可能である。即ち、光源の上部にイメージパネルが位置し、３次元イメージ形成装置がイメージパネル上部に位置するように構成することができる。３次元イメージ形成装置は、イメージパネルに結合されることによって３次元イメージを形成することができ、３次元/２次元イメージを互いに切り換えることもできる。３次元イメージ形成装置は、位相差板（retarder）とスイッチングパネルからなり、これは特許文献２（ＵＳ６０４６８４９）、特許文献３（ＵＳ６０５５１０３）または特許文献４（ＵＳ６４３７９１５）などを参照して理解することができる。イメージパネルは、図１Ａで説明したものと同様である。
【００２５】
図１Ｃに示すように、イメージパネルと３次元イメージ形成装置が結合している。イメージパネルと３次元イメージ形成装置は、光源を基準にその位置を互いに入れ替えることも可能である。３次元イメージ形成装置がイメージパネルに結合されることによって、３次元イメージを形成することができ、３次元/２次元イメージを互いに切り換えることもできる。３次元イメージ形成装置は、スリットを有する偏光板とスイッチングパネルからなり、これは特許文献５（ＵＳ４７１７９４９）または特許文献６（ＵＳ６１５７４２４）などを参照して理解することができる。イメージパネルは、図１Ａで説明したものと同様である。
【００２６】
左眼用イメージと右眼用イメージを分離するための３次元イメージ形成装置と、イメージパネルからなる全ての３次元映像表示装置は、本発明の実施形態によって製造することができる。よって、レンチキュラレンズアレイ方式またはパララックスバリア方式などを用いる３次元映像表示装置も本発明の実施例に従って製造することができる。
図２は、本発明の一実施形態による３次元イメージ表示装置製造方法で、イメージパネルと３次元イメージ形成装置の整列工程を示すフローチャートである。
【００２７】
イメージパネル及び３次元イメージ形成装置を用意する（Ｓ１）。イメージ形成パネル及び３次元イメージ形成装置を整列する（Ｓ２）。整列されたイメージパネル及び３次元イメージ形成装置を固定する（Ｓ３）。
３次元イメージ形成装置は、イメージパネルに対応してイメージを左眼用イメージと右眼用イメージに分離する装置である。従って、このような３次元イメージ形成装置は、レンチキュラレンズやパララックスバリア自体はもちろん、レンチキュラレンズやパララックスバリアにスイッチングパネルが取り付けられたパネルを備える構成とすることができ、その他の膜や層、シート（sheet）を有するパネルを用いることもできる。即ち、以下で３次元イメージ形成装置という用語は、３次元映像を表示するための駆動条件で駆動させた時、イメージを左眼用と右眼用に分離することができる任意の装置という意味で使用する。
【００２８】
以下、図１Ａの３次元映像表示装置に基づいて本工程を詳細に説明する。まず、液晶表示パネル１０とレンズパネル４００を用意する（Ｓ１）。液晶表示パネル１０とレンズパネル４００を接着剤５１０によって接合し、３次元イメージを形成することができるように、液晶表示パネル１０とレンズパネル４００を整列する（Ｓ２）。例えば、レンズパネル４００の１つのレンズ列毎に液晶表示パネル１０の所定個数の画素が位置するように調整する必要がある。画素の個数は２個または４個にすることができ、３次元映像表示装置の設計によって多様に変更することもできる。
【００２９】
この後、スイッチングパネル６００をレンズパネル４００の上部に取り付け、偏光板などを取り付ける。スイッチングパネル６００は、レンズパネル４００に先に取り付けられてから、液晶表示パネル１０に整列されて取り付けられる。
工程段階で、３次元イメージ形成装置はレンズパネル４００である。場合によって、スイッチングパネル６００とレンズパネル４００が取り付けられたパネルを３次元イメージ形成装置とすることもできる。
【００３０】
図３は、図２に示すＳ２からＳ３ステップを詳細に示すフローチャートである。
イメージパネル及び３次元イメージ形成装置を製造装置にロードする（Ｓ２１）。
次に、イメージパネル及び３次元イメージ形成装置のうちの少なくともいずれか１つの一面に光硬化性物質を塗布する（Ｓ２２）。この光硬化性物質は光の照射によって接着剤に変換するものであり、一例として、アクリル（acrylic）、アクリル酸塩（acrylate）、メタクリル酸塩（methacrylate）、エポキシ（epoxy）、アクリル酸塩で改質されたエポキシ（acrylate  modified  epoxies）などからなる群より選択したものを用いることができる。これらの物質は、紫外線と反応して接着力を発揮することができる。
【００３１】
一例として、これらの接着剤は、重合アクリルまたはメタクリル酸(methacrylic acid)により適切な触媒との反応を通じて形成することができる。アクリル接着剤とアクリル酸塩接着剤は、自由ラジカルメカニズムを通じて熟成する。これらは、通常、２つの成分で供給されるが、これらを混合する必要はない。触媒、促進剤、または硬化剤は一面に塗布され、他の面にはアクリル樹脂が塗布される。接着剤の完全な熟成のためにこれらの面が接合されると、各材料は塗布面に対して充分に拡散される。アクリル接着剤とアクリル酸塩接着剤は、エマルジョンとソルベント系で得ることができる。アクリル酸塩接着剤は建築用にも用いられる。多くの紫外線硬化樹脂はアクリル系接着剤である。
【００３２】
イメージパネルと３次元イメージ形成装置とを接合するためのアクリル酸塩接着剤の例としては、ポリウレタンジメタクリレート（polyurethane dimethacrylates）、ポリカーボネートジメタクリレート（polycarbonate dimethacrylates）、 エトキシ化ビスフェノールＡジメタクリレート（ethoxylated bisphenol A dimethacrylate）など、または前述したアクリル酸塩接着剤のうちのいずれか１つ以上を含む組み合わせがある。
【００３３】
他の例として、イメージパネルと３次元イメージ形成装置との間の接着を促進するために、感圧接着剤を用いることができる。感圧接着剤は、ソルベント系または溶融系の感圧接着剤であり得る。適切な感圧接着剤の例としては、フェノール樹脂（phenolic resins）、アミノ樹脂（amino resins）（一例として、ウレア（urea）またはメラミン（melamine）が反応したホルムアルデヒド）、エチレン共重合体（一例として、エチレンビニルアセテート（ethylene-vinyl acetate））、ポリビニルアセテート（polyvinyl acetate）、ポリビニルアセタール(polyvinyl acetals)、ポリウレタン（polyurethanes）、エポキシ（epoxies）、アクリル（acrylics）、ポリアミド（polyamides）、ポリエステル（polyesters）、ポリイミド（polyimides）、ポリベンゾイミダゾール（polybenzimidazoles）、ポリキノキサリン（polyquinoxalines）など、または前述した感圧接着剤のうちのいずれか１つ以上を含む組み合わせがある。
【００３４】
イメージパネルと３次元イメージ形成装置を接合する（Ｓ２３）。３次元映像を表示するための条件で接合したパネルに映像を表示し、この映像で表示される黒帯がパネルの中央に位置するように、イメージパネルと３次元イメージ形成装置を整列する（Ｓ２４）。
次に、ビジュアルインスペクション（ＶＩ：visual inspection）用ピンに電源を印加して奇数画素列にはホワイトを表示し、偶数画素列にはブラックを表示する等、奇数画素列と偶数画素列に互いに異なる映像信号を印加した状態でパネルを観察する。このことにより、中央にある黒帯を中心にして左右で互いに異なる映像が表示される。この時、奇数画素列にはホワイトを表示し、偶数画素列にはブラックを表示した場合、図６に示すように、一側には白色面が現れ、もう一側には黒色面が現れる。この時、白色面と黒色面の位置が予め決めたものと一致すれば２次整列が完成したものであり、不一致する場合には、白色面と黒色面の位置が予め決めた位置と一致するまでイメージパネルと３次元イメージ形成装置の相対的位置を左右に移動させる（Ｓ２５）。
【００３５】
その後、接合されて整列されたパネルに光を照射し、接着体を硬化してパネルを固定する（Ｓ２６）。
ステップＳ２５において、奇数列と偶数列に表示する映像は、イメージパネル及び３次元イメージ形成装置を駆動して得られる映像であり、整列前は３次元映像でない場合もあり得る。この映像は、単色の映像であるか、特定イメージまたは動画とすることができる。単色の場合にはホワイトイメージとすることができる。整列のための左眼用イメージと右眼用イメージにそれぞれ異なる単色の映像を与えることができる。これは、パネル全体に単色のイメージを与える場合、左眼用イメージと右眼用イメージが入れ替わる場合があるためである。
【００３６】
また、例えば、左眼用イメージにはブラックイメージを、右眼用イメージにはホワイトイメージを与えることができる。この場合にも、ブラックイメージとホワイトイメージの中間位置において黒帯が観察されるので、黒色帯、ブラックイメージ、そしてホワイトイメージを基準にして接合されたパネルを整列することができる。
ここで、Ｓ２４及びＳ２５は同時に行うこともできる。
【００３７】
図１Ａに示す３次元映像表示装置に基づいて本工程を具体的に説明すれば、液晶表示パネル１０とレンズパネル４００を製造装置にロードする（Ｓ２１）。次に、液晶表示パネル１０またはレンズパネル４００の一面に紫外線（ＵＶ）硬化性接着剤を塗布する（Ｓ２２）。次に、液晶表示パネル１０とレンズパネル４００の接着面を接合する（Ｓ２３）。
ステップＳ２４では、映像において黒帯がパネルの左右中央に位置するように、液晶表示パネル１０及びレンズパネル４００を整列する。
【００３８】
そのために、接合された液晶表示パネル１０とレンズパネル４００で３次元映像を表示するための条件で映像を表示し、レンズパネル４００上に配置されたカメラによって黒帯を観察する。
この時、液晶表示パネル１０の下には下部偏光板１２が配置される。または、３次元映像表示装置の製造装置に別途の偏光板が前述した下部偏光板１２のような機能をするように設けられる。この場合、下部偏光板１２は、整列過程の後で取り付けることができる。
【００３９】
整列が完了した後、接着剤５１０に紫外線を照射して硬化することによって、液晶表示パネル１０にレンズパネル４００を固定する（Ｓ２６）。
液晶表示パネル１０とレンズパネル４００が結合して完成したパネルは、製造装置からアンロードされる。
図４〜図６は、本発明の一実施形態による３次元映像表示装置において、イメージパネルと３次元イメージ形成装置を整列する原理を説明するための図である。
【００４０】
図４は、３次元映像を表示するパネルの中央に黒帯が現れる原理を説明した図である。
レンチキュラレンズアレイを用いた３次元映像表示装置は、隣接した２つの画素列を１つのレンズと一致させて、２つの画素列から発する光がレンズによって屈折して観察者の両眼に分散して入るようにする。これによって両眼に視差が生じ、観察者は立体映像として感じることになる。
【００４１】
図４に示すように、２つの画素列から発する光がレンズにより屈折して、一方の画素列の光は右眼に、他方の画素列の光は左眼に向かうようになり、両眼の中央部分に進む光がなくなる。これにより、３次元映像の中央に黒帯が現れる。レンズと２つの画素列が整列した場合、観測者がパネル中央から設定された観測距離（または設定された焦点距離）だけ離れてパネルを観察するとき、黒帯はパネル中央において縦方向に現れる。
【００４２】
図５は、左眼用イメージと右眼用イメージが入れ替わる場合を説明するための図である。
図４の原理に従って整列する際に、場合によって左眼用イメージと右眼用イメージが入れ替わる。特に、３次元映像として単色映像を表示する場合、左眼用イメージと右眼用イメージが同じであるので、互いにイメージが入れ替わる場合がある。即ち、液晶表示パネルとレンズアレイの整列状態は、図５Ａと図５Ｂの２種類が可能である。このような２種類の整列状態の中で、図５Ａの場合には３次元映像が正常に表示されるが、図５Ｂの場合には左眼用イメージと右眼用イメージが入れ替わって表示され、所望のイメージを得られない場合が生じ得る。そのため、図５Ａのような形態になるように、整列状態を調整する必要がある。
【００４３】
図６は、左眼用イメージと右眼用イメージが入れ替わらないように整列する原理を示す図である。
設計上、左眼用イメージに該当する部分に第１イメージを、右眼用イメージに該当する部分に第２イメージを表示するようにして、左眼用イメージと右眼用イメージが入れ替わることがないように整列することができる。例えば、第１イメージとしてホワイトイメージを表示し、第２イメージとしてブラックイメージを表示することができる。
【００４４】
左眼用イメージと右眼用イメージをカメラで観察すれば便利である。カメラは両眼視差がないので、パネルの中央で第１イメージ、第２イメージ、及び黒帯を全て観察することができる。この場合、カメラは３次元表示装置の観測距離（または焦点距離）で観察することができる。観測距離は、パネルの設計によって異なるが、パネルから垂直距離でほぼ２０〜６０ｃｍとすることができる。場合によって、カメラを移動させながらイメージを観察することもできる。
【００４５】
図７は、本発明の実施形態による３次元映像表示装置の製造装置であり、より具体的には、本発明の実施形態による３次元映像表示装置製造方法でイメージパネルと３次元イメージ形成装置の整列状態を検査し結合する装備の斜視図である。
３次元映像表示装置の製造装置１０００は、イメージパネル搭載部１１１０、イメージパネル搭載部１１１０をＸ軸方向に移動させるＸ軸微細調整器１１２０、イメージパネル搭載部１１１０をＹ軸方向に移動させるＹ軸微細調整器１１３０、紫外線硬化性接着剤を硬化するための紫外線照射器１１４０、イメージパネル搭載部１１１０を回転移動させる回転微細調整器１１５０を備える。
【００４６】
製造装置１０００は、３次元イメージ形成装置搭載部１２１０、３次元イメージ形成装置搭載部１２１０を回転駆動する回転駆動部１２３０及び３次元イメージ形成装置搭載部１２１０を上下左右に移動させる３次元イメージ形成装置搭載部の位置制御部１２２０をさらに備える。
製造装置１０００は、カメラ１３１０及びカメラ１３１０の位置を移動させるカメラ位置制御部１３２０をさらに備える。
【００４７】
製造装置１０００は、接着剤塗布機１６１０及び接着剤塗布機１６１０の位置を移動させる塗布機位置制御部１６２０をさらに備える。
この他にも、製造装置１０００は、開始ボタンとキーボードを含む入力部１５００、モニター１４００及び前述した構成部分が配設される本体１７００をさらに備える。
このような製造装置１０００の動作を図１Ａの３次元映像表示装置を結合する過程によって説明する。
【００４８】
液晶表示パネル１０とレンズパネル４００をそれぞれイメージパネル搭載部１１１０と、３次元イメージ形成装置搭載部１２１０に搭載すれば、塗布機位置制御部１６２０の駆動によって、接着剤塗布機１６１０がレンズパネル４００上に移動し、接着剤を塗布する。この時、回転駆動部１２３０と３次元イメージ形成装置搭載部の位置制御部１２２０によって３次元イメージ形成装置搭載部１２１０も移動することができる。
【００４９】
次に、３次元イメージ形成装置搭載部１２１０は、回転駆動部１２３０の駆動によってレンズパネル４００の接着剤が塗布された面が下方を向くように１８０度回転し、３次元イメージ形成装置搭載部位置制御部１２２０の動作によって、レンズパネル４００とイメージパネル１０の接着面が接するように移動する。
この状態でカメラ１３１０が撮影した映像をモニター１４００で観察しながら、Ｘ軸、Ｙ軸及び回転微細調整器１１２０、１１３０、１１５０を制御して第１次及び第２次の整列を行う。この時、カメラ位置制御部１２２０を用いてカメラ１３１０の位置を調整することができる。
【００５０】
整列が完了すれば、紫外線照射器１１４０が接着剤に紫外線を照射して硬化することによって、液晶表示パネル１０とレンズパネル４００を接着固定する。
以上で本発明の好ましい実施形態について詳細に説明したが、本発明の権利範囲はこれに限定されず、特許請求の範囲で定義している本発明の基本概念を利用した当業者の種々の変形及び改良形態も本発明の権利範囲に属するものである。
【００５１】
本発明の実施形態のような方法及び装備によってイメージパネルと３次元イメージ形成装置を効率的に整列し、３次元映像表示装置を製造することができる。
【図面の簡単な説明】
【００５２】
【図１Ａ】本発明の一実施形態による３次元映像表示装置の製造方法によって製造された３次元映像表示装置等の断面図である。
【図１Ｂ】本発明の一実施形態による３次元映像表示装置の製造方法によって製造された３次元映像表示装置等の断面図である。
【図１Ｃ】本発明の一実施形態による３次元映像表示装置の製造方法によって製造された３次元映像表示装置等の断面図である。
【図２】本発明の一実施形態による３次元映像表示装置製造方法で、イメージパネルと３次元イメージ形成装置を整列するフローチャートである。
【図３】図２に示すＳ２段階の詳細な工程フローチャートである。
【図４】本発明の一実施形態による３次元映像表示装置で、イメージパネルと３次元イメージ形成装置を整列する原理を説明する図である。
【図５Ａ】本発明の一実施形態による３次元映像表示装置で、イメージパネルと３次元イメージ形成装置を整列する原理を説明する図である。
【図５Ｂ】本発明の一実施形態による３次元映像表示装置で、イメージパネルと３次元イメージ形成装置を整列する原理を説明する図である。
【図６】本発明の一実施形態による３次元映像表示装置で、イメージパネルと３次元イメージ形成装置を整列する原理を説明する図である。
【図７】本発明の実施形態による３次元映像表示装置の製造装置であり、より具体的には、本発明の実施形態による３次元映像表示装置製造方法におけるイメージパネルと３次元イメージ形成装置の整列状態を検査し、結合する装備の斜視図である。
【符号の説明】
【００５３】
１０  イメージパネル（液晶表示パネル）
１２  下部偏光板
２２  上部偏光板
１００  薄膜トランジスタ表示板
２００  カラーフィルタ表示板
２５０  カラーフィルタ
３００  表示液晶層
４００  ３次元イメージ形成装置（レンズパネル）
４１０  レンチキュラレンズアレイ
４２０  ポリマー
５１０、５２０  接着剤
６００  スイッチングパネル
６１０  スイッチングパネル下部基板
６２０  スイッチングパネル上部基板
６３０  スイッチング液晶層
【図１Ａ】
2006079097.tif 000003
【図１Ｂ】
2006079097.tif 000004
【図１Ｃ】
2006079097.tif 000005
【図２】
2006079097.tif 000006
【図３】
2006079097.tif 000007
【図４】
2006079097.tif 000008
【図５Ａ】
2006079097.tif 000009
【図５Ｂ】
2006079097.tif 000010
【図６】
2006079097.tif 000011
【図７】
2006079097.tif 000012